(57)【要約】  【課題】  羽毛の充填作業が容易で、充填した羽毛が逆流し難く、使用中には羽毛の移動が少ない羽毛布団を提供する。  【解決手段】  表地と裏地の間に、縦横の隔壁布によって複数個に区画された小区画室が形成され、これら複数個の小区画室には羽毛を充填する羽毛充填パイプを通す筒状弁布が設けられてなる羽毛布団において、上記羽毛充填パイプを通す筒状弁布が、その一端が隔壁布の交差部に羽毛充填パイプを挿入可能に固定され、他端が隔壁布に沿って配置されてなり、筒状弁布は、外筒体とこの外筒体の内部に配置された中袋とによって二重構造とされ、外筒体は長尺で長さ方向の両端が開放された構造とされてなり、中袋は外筒体より短くされ、一端は上記筒状弁布の一端で隔壁布の交差部に羽毛充填パイプを挿入可能にして固定され、他端は上記筒状弁布の他端の内側で底部が形成され、かつ、この底部にほぼ直交する切り込みが形成されてなることを特徴とする。  【選択図】  図１。
2006122379.tif 000002
【特許請求の範囲】
【請求項１】
表地と裏地の間に、縦横の隔壁布によって複数個に区画された小区画室が形成され、これら複数個の小区画室には羽毛を充填する羽毛充填パイプを通す筒状弁布（Ａ）が設けられてなる羽毛布団において、上記羽毛充填パイプを通す筒状弁布（Ａ）は、その一端（Ａ１）が隔壁布の交差部に羽毛充填パイプを挿入可能に固定され、他端（Ａ２）が隔壁布に沿って配置されてなり、かつ、外筒体（ａ）とこの外筒体の内部に配置された中袋（ｂ）とによって二重構造とされ、外筒体（ａ）は長尺で長さ方向の両端が開放された構造とされてなり、中袋（ｂ）は外筒体（ａ）より短くされ、一端は上記筒状弁布の一端（Ａ１）で隔壁布の交差部に羽毛充填パイプを挿入可能にして固定され、他端は上記筒状弁布の他端（Ａ２）の内側で底部（ｂ２）が形成され、かつ、この底部（ｂ２）にほぼ直交する切り込み（ｂ３）が形成されてなることを特徴とする羽毛布団。
【請求項２】
筒状弁布（Ａ）が、不織布または網によって構成されてなる、請求項１に記載の羽毛布団。
【発明の詳細な説明】
【技術分野】
【０００１】
本発明は、羽毛布団に関するものである。さらに詳しくは、小区画室に充填した羽毛を逆流させず、一の小区画室に充填した羽毛を他の小区画室に移動もさせない羽毛布団に関するものである。
【背景技術】
【０００２】
表地と裏地とよりなる袋の中に水鳥の羽毛を充填した羽毛布団は、充填した羽毛が袋の中で移動して一方に片寄るのを防止するため、表地と裏地との間に隔壁布を配置・接合し複数の小区画室を形成し、これら小区画室のそれぞれに羽毛を充填する構造とされている。そして複数の小区画室に羽毛を充填する手段として、各小区画室に達する羽毛充填パイプによって、各小区画室に所定量の羽毛を空気圧送法により吹き込んで充填する方法が採られている。
【０００３】
しかしながら、羽毛を複数の小区画室に均等に充填しても、羽毛を充填した直後に、充填した穴から羽毛が逆流したり、羽毛布団を使用している間に、羽毛が羽毛充填パイプを挿入した穴を通って、一の小区画室から他の小区画室に移動したりすることがあり、布団の嵩高を不均一となり、保温性を悪化させ、使用者に不快感を与えることがある。このため、羽毛の逆流や異動を防ぐための考慮が必要であり、羽毛充填パイプを通す布の構造、羽毛吹き込み構造などの改良については種々提案（例えば、特許文献１、特許文献２参照）がなされている。
【特許文献１】実開平６−７５２６８号公報
【特許文献２】特開平９−３７９１０号公報
【発明の開示】
【発明が解決しようとする課題】
【０００４】
本発明は、この技術分野に存在していた上記欠点を一挙に解消すべく鋭意検討した結果完成されたのである。すなわち、本発明の目的は、その構造を簡単なものとしながら、羽毛の充填作業が容易で、充填した羽毛が逆流せず、また、羽毛布団を使用している間に、羽毛が一の小区画室から他の小区画室に移動し難い羽毛布団を提供することにある。
【課題を解決するための手段】
【０００５】
上記課題を解決するために、本発明では、表地と裏地の間に、縦横の隔壁布によって複数個に区画された小区画室が形成され、これら複数個の小区画室には羽毛を充填する羽毛充填パイプを通す筒状弁布（Ａ）が設けられてなる羽毛布団において、上記羽毛充填パイプを通す筒状弁布（Ａ）が、その一端（Ａ１）が隔壁布の交差部に羽毛充填パイプを挿入可能に固定され、他端（Ａ２）が隔壁布に沿って配置されてなり、筒状弁布（Ａ）は、外筒体（ａ）とこの外筒体の内部に配置された中袋（ｂ）とによって二重構造とされ、外筒体（ａ）は長尺で長さ方向の両端が開放された構造とされてなり、中袋（ｂ）は外筒体（ａ）より短くされ、一端は上記筒状弁布の一端（Ａ１）で隔壁布の交差部に羽毛充填パイプを挿入可能にして固定され、他端は上記筒状弁布の他端（Ａ２）の内側で底部（ｂ２）が形成され、かつ、この底部（ｂ２）にほぼ直交する切り込み（ｂ３）が形成されてなることを特徴とする羽毛布団を提供する。
【発明の効果】
【０００６】
本発明は、次のような特別な有利な効果を奏し、その産業上の利用価値は極めて大である。
１．本発明に係る羽毛布団は、羽毛充填パイプを通す筒状弁布が二重構造にされているので、充填した羽毛の逆流や使用中の羽毛の移動が防止できる。
２．本発明に係る羽毛布団は、羽毛充填パイプを通す筒状弁布を、表地と裏地の間に、縦横の隔壁布を接合する際に同時に簡単に取り付けられる。
３．本発明に係る羽毛布団は、筒状弁布への羽毛充填パイプの挿入は容易であり、能率よく羽毛の充填作業ができる。
４．本発明に係る羽毛布団は、複数の小区画質に充填した羽毛が、逆流・移動せず嵩高が不均一となり難い。従って、羽毛布団の保温性を悪化せず、かつ、使用者に不快感を与えることがない。
【発明を実施するための最良の形態】
【０００７】
以下、本発明を詳細に説明する。本発明に係る羽毛布団は、その基本構造として、表地と裏地の間に隔壁布で縦横に区画された複数個の小区画室が形成されている（例えば、特公平６−４９０１５号公報の図４、特開平１０−１２７４５５号公報の図２などを参照）。表地と裏地の素材は、天然繊維、化学繊維から構成される編物、織物、組物などで調整することができる。化学繊維としては、ポリアミド繊維、ポリエステル繊維、ポリエチレン繊維、ポリプロピレン繊維などが挙げられる。表地と裏地は、薄く軽量なものが好適である。羽毛布団の平面の大きさは、一般的に、一辺が１００ｃｍ〜３００ｃｍの範囲の四角形とされる。一個の小区画室の大きさは、羽毛布団の平面形状の大きさにより一辺が５ｃｍ〜３０ｃｍの範囲で選ばれる。
【０００８】
各隔壁布は、狭幅で長尺の布地によって構成し、これらを布団の長さ方向（縦方向）と、これに直角の方向（横方向）に交差させた状態で接合されると共に、隔壁布の幅方向の両端部が表地と裏地とに接合される。隔壁布の素材は、天然繊維、化学繊維のいずれでもよく、不織布、レース、網など、通気性に優れたもので調製するのが好ましい。隔壁布の有効幅（羽毛を充填した状態での表地と裏地との間隔を規制する幅）は、羽毛布団の平面形状の大きさにより３ｃｍ〜１０ｃｍの範囲で選ぶことができる。隔壁布には、有効幅の両端に幅が３ｍｍ〜１０ｍｍの折返し部を設けて、表地と裏地と接合することができる。隔壁布の折返し部を直接表地と裏地と接合することもできるし、隔壁布の折返し部と、表地と裏地との間の接合布を介在させて、接合することもできる。
【０００９】
羽毛布団は上のような基本構造であれば、表地と裏地の外側がさらに外袋で被包されて二重構造とされていてもよい。隔壁布は、縦横方向に直角に交差させるのが好ましいが、布団の意匠上の観点から、曲線と組み合わせるなど、若干変形することもできる。なお、本発明において接合とは、縫着、接着、融着などを意味する。接着する場合は、接着剤、接着テープなどのいずれを使用してもよい。これら接合方法は、表地、裏地、隔壁布、筒状弁布などを構成する素材によって、最適の接合方法を採用することができる。
【００１０】
本発明に係る羽毛布団は、縦または横方向の隔壁布に沿い、隔壁布の交差部に、羽毛充填パイプを通す筒状弁布（Ａ）が設けられているこの羽毛充填パイプを通す筒状弁布（Ａ）は、外筒体（ａ）とこの外筒体の内部に配置された中袋（ｂ）とによって二重構造とされ、外筒体（ａ）は長尺で長さ方向の両端が開放された構造とする。筒状弁布（Ａ）は、その一端（Ａ１）が羽毛充填パイプを挿入可能にして隔壁布の交差部に固定し、隔壁布に沿って配置する。二重構造とされた筒状弁布（Ａ）｛外筒体（ａ）に同じ｝は、小区画室に羽毛を充填する際には羽毛充填パイプを挿通可能に筒状に変形し、羽毛充填パイプは筒状弁布の他端（Ａ２）側に露出し、この部分の小区画室に羽毛を充填することができる。羽毛の充填完了後に羽毛充填パイプを後退させた（引抜いた）後は、小区画室に充填された羽毛、羽毛を送る圧空によって隔壁布が緊張するので、隔壁布が緊張するにつれて筒状弁布（Ａ）は筒状から扁平な状態に戻り、筒状弁布（Ａ）の両端の開口部が閉じられるので、小区画室に充填された羽毛が逆流を防ぐことができる。
【００１１】
筒状弁布（Ａ）は、扁平にされた際の外筒体（ａ）の幅は、表地と裏地の間に接合（縫合）した状態の上記隔壁布の幅と同一またはこれより若干大きい幅とすることができる。若干大きい幅とすると、扁平にされた状態で幅方向の両端部を、隔壁布の幅方向両端の折返し部を、表地と裏地に接合する際に同時に接合することができるので好ましい。なお、扁平にした状態での筒状弁布（Ａ）の幅が隔壁布の幅より狭い場合は、一端（Ａ１）を隔壁布の交差部に固定し、他端（Ａ２）の隔壁布と接触する面を隔壁布に接合することもできる。接合する場合は、隔壁布と接触する面の全面を接合する必要はなく、部分的な接合で十分である。筒状弁布（Ａ）は、外筒体（ａ）の長さは、一小区画室を形成する隔壁の長さにもよるが、その１／４ないし半分程度とするのが好ましい。
【００１２】
筒状弁布（Ａ）を構成する中袋（ｂ）は、外筒体（ａ）の内側に配置され、外筒体（ａ）と同様、小区画室に羽毛を充填する際には羽毛充填パイプを挿通可能に筒状に変形し、羽毛の充填完了後に羽毛充填パイプを後退させた（引抜いた）後は、筒状から元の扁平な状態に戻り、外筒体（ａ）に侵入した羽毛の移動を完全に防止する機能を果たす。中袋（ｂ）の長さは、外筒体（ａ）の長さの半分程度の長さが好ましい。扁平にされた際の中袋（ｂ）の幅は、外筒体（ａ）の幅と同じ幅とすると、のが好ましい。
【００１３】
中袋（ｂ）一端は、上記筒状弁布の一端（Ａ１）で隔壁布の交差部に羽毛充填パイプを挿入可能に固定され、他端は外筒体（ａ）の内側で底部（ｂ２）が形成され、かつ、この底部（ｂ２）にほぼ直交する切り込み（ｂ３）が形成される。切り込み（ｂ３）は、羽毛充填パイプを挿通する場合は穴が広げられ、後退させた（引抜いた）後は広げられた穴が元の状態に戻り、外筒体（ａ）に侵入した羽毛の移動を完全に防止する。特に、切り込み（ｂ３）が形成された底部（ｂ２）は外筒体（ａ）の内側に配置されているので、小区画室に充填された羽毛、羽毛を送る圧空によって隔壁布が緊張するにつれて外筒体（ａ）は筒状から扁平な状態に戻るが、この際同時に中袋（ｂ）の扁平な状態に戻され、切り込み（ｂ３）も閉じられるので、外筒体（ａ）の両端部から侵入した羽毛の移動を完全に防ぐことができる。
【００１４】
筒状弁布（Ａ）を構成する外筒体（ａ）および中袋（ｂ）は、隔壁布と同種の素材で構成するのが好ましい。これらを構成する素材としては、羽毛充填パイプの挿入、引き抜き時に抵抗が少なく、強度に優れたものが好ましい。具体的には、ポリアミド繊維、ポリエステル繊維、ポリエチレン繊維、ポリプロピレン繊維などが挙げられる。布は、不織布、網（ネット）などの通気性に優れたものが挙げられる。また、素材がポリエチレン繊維等の比較的低融点の熱可塑性繊維であれば、筒状弁布（Ａ）を形成する際に、アイロン掛けによる熱溶着が可能であり、熱コテによって熱溶着可能である。
【００１５】
本発明に係る羽毛布団に羽毛を充填するには、まず羽毛充填パイプを、一列目の長さ方向（縦方向）の隔壁布に沿って設けた筒状弁布（Ａ）の一端の挿入口から挿入し、各隔壁布の交差部に設けた複数の筒状弁布（Ａ）の順次貫挿して、最も奥に位置する小区画室で羽毛充填パイプの先端が筒状弁布（Ａ）の他端（Ａ２）から頭出しした（突き出した）状態とする。ついで、羽毛を最も奥に位置する小区画室内に吹き込み充填する。最も奥に位置する小区画室に羽毛の充填を完了した後は、羽毛充填パイプを後退させ、羽毛充填パイプ先端を奥から二番目の小区画室に設けられた筒状弁布（Ａ）の他端（Ａ２）から頭出しした（突き出した）状態とする。
【００１６】
ついで、羽毛を最も奥に位置する小区画室内に吹き込み充填する。奥から二番目の小区画室への羽毛の充填を完了した後は、奥から三番目の小区画室、四番目の小区画室の順に羽毛を充填する。一個の長さ方向（縦方向）の隔壁布に沿った複数の小区画室に、羽毛を充填した後は、他の長さ方向（縦方向）の隔壁布に沿って設けた複数の小区画室にも、同様の手順で羽毛を充填し、最後に羽毛充填パイプの挿入口を接合して閉鎖する。ついで羽毛充填パイプを、二番目の長さ方向（縦方向）の隔壁布に沿って設けた筒状弁布（Ａ）の一端の挿入口から挿入し、この二列目の隔壁布に沿って設けた複数の小区画室への羽毛を充填する。このように、順次、三列目、四列目の長さ方向（縦方向）の隔壁布に沿って設けた複数の小区画室への羽毛を充填する。
【００１７】
外筒体（ａ）とこの外筒体の内部に配置された中袋（ｂ）とによって二重構造とされた筒状弁布（Ａ）は、羽毛充填パイプを後退させ引き抜くと、隣の小区画室に充填されて羽毛と羽毛を充填する際の圧空とによって、小区画室を構成する隔壁布は緊張するので、中袋（ｂ）の切り込み（ｂ３）は速やかに挿入前の扁平な状態に戻る。たとえ、小区画室に羽毛を充填している間、または羽毛を使用している間に、羽毛が筒状弁布（Ａ）の一端（Ａ１）側から侵入しても、中袋（ｂ）の底部（ｂ２）によって逆流や移動が阻止されるし、また他端（Ａ２）側から侵入しても、同様に中袋（ｂ）の底部（ｂ２）によって逆流や移動が阻止される。
【実施例】
【００１８】
以下、本発明に係る羽毛布団の一例を、図面に基づき説明するが、本発明は以下の記載例に限定されるものではない。図１は、本発明に係る羽毛布団の一例の、縦横の隔壁布の交差部に筒状弁布を固定して設けた状態の一部切り欠き斜視図であり、図２は、筒状弁布の一例の側面略図である。
【００１９】
本発明に係る羽毛布団は、例えば特開平１０−１２７４５５号公報の図２に記載されているように、平面形状が２００ｃｍ×３００ｃｍで木綿製の表地と裏地の間に、縦横の隔壁布によって区画された１５個の小区画室が形成されている。小区画室の数、各小区画室の大きさなどに特に制限はないが、小さすぎると縦横の隔壁布の接合作業、羽毛の充填作業などが煩雑になるので、好ましくない。
【００２０】
本発明に係る羽毛布団は、縦方向の隔壁布１と横方向の隔壁布２（いずれもポリエステル製で、有効幅が８ｃｍ、折返し幅５ｍｍ）とによって区画された１５個の小区画室４、５を形成した。縦方向の隔壁布１と横方向の隔壁布２の交差部３には、羽毛充填パイプ６を通す筒状弁布（Ａ）を設けた。筒状弁布（Ａ）は、長さが１０ｃｍの外筒体（ａ）とこの外筒体の内部に配置された長さが５ｃｍ中袋（ｂ）とによって二重構造とされ、その一端（Ａ１）が隔壁布の交差部に羽毛充填パイプを挿入可能に固定し、他端（Ａ２）が隔壁布に沿って配置した（図１参照）。
【００２１】
筒状弁布（Ａ）を構成する外筒体（ａ）は、長尺で長さ方向の両端が開放され、幅は隔壁布と同一、長さは小区画室の一辺の約１／２にした。中袋（ｂ）は外筒体（ａ）とほぼ同じ幅とし、長さは外筒体（ａ）の１／２とし、一端は上記筒状弁布の一端（Ａ１）で隔壁布の交差部３に羽毛充填パイプを挿入可能に固定され、他端は上記筒状弁布の他端（Ａ２）の内側で底部（ｂ２）が形成した。図に示した例では、この底部（ｂ２）にほぼ直交する長さが４ｃｍの切り込み（ｂ３）を形成した（図２参照）。
【００２２】
筒状弁布（Ａ）の一端（Ａ１）から挿入された羽毛充填パイプ６は、中袋（ｂ）の底部（ｂ２）に達しても、強制的に押込むと切り込み（ｂ３）を挿通することができるので、羽毛充填は容易であった。また、羽毛充填パイプ６を後退させ引き抜いた後は、外筒体（ａ）と中袋（ｂ）の双方が扁平になるので、充填した羽毛が逆流したり移動したりすることがなかった。
【産業上の利用可能性】
【００２３】
本発明に係る羽毛布団は、小区画室に充填した直後の羽毛が逆流し難く、一の小区画室に充填した羽毛を他の小区画室に移動し難いので、羽毛布団として極めて有用である。
【図面の簡単な説明】
【００２４】
【図１】本発明に係る羽毛布団の一例の、縦横の隔壁布の交差部に筒状弁布を固定して設けた状態の一部切り欠き斜視図である。
【図２】筒状弁布の一例の側面略図である。
【符号の説明】
【００２５】
１：隔壁布（縦方向）
２：隔壁布（横方向）
３：隔壁布の交差部
４：小区画室
５：小区画室
６：羽毛充填パイプ
Ａ：筒状弁布
Ａ１：筒状弁布の一端
Ａ２：筒状弁布の他端
ａ：外筒体
ｂ：中袋
ｂ２：底部
ｂ３：切り込み
【図１】
2006122379.tif 000003
【図２】
2006122379.tif 000004